(57)【特許請求の範囲】
【請求項１】
保護ヘルメットに取り付けられる顔面保護具であって、
顔面を覆う本体部、及び該本体部の左右両側部から延出した２つの保持アームを備えたバイザーと、
前記バイザーを下向きに回動変位させて顔面を覆って保護する状態の使用位置及び前記バイザーを上向きに回動変位させた状態の待機位置の間で回動変位し得るように前記両保持アームを、前記ヘルメットのヘルメットシェルに枢支する左右２つのベアリングデバイスとを含み、
前記各ベアリングデバイスが、前記ヘルメットの前記ヘルメットシェルの内面に取り付けることができるように構成されており、
前記各保持アームが、前記バイザーの前記本体部に連結している基端部から、前記ベアリングデバイスに結合されるかまたは結合可能にされた当該保持アームの遊端にかけて、前記バイザーの前記本体部の側辺に対して平行をなし、かつ該側辺に対して所定の間隔を隔てるように延在することにより、前記待機位置にある前記ヘルメットシェルが突入するべきスロットが前記所定の間隔によって構成され、それにより、前記保持アームの遊端側が前記ヘルメットシェルの内側に配置され、かつ前記待機位置において前記バイザーが前記ヘルメットシェルの外面に密接に適合するようにし、
前記各保持アームの遊端が、リング状ベアリングブッシュとして形成されており、
前記各ベアリングデバイスが、前記リング状ベアリングブッシュに嵌合して前記各保持アームを回動可能に支持するベアリングピボットを有しており、
前記各ベアリングデバイスが、スナップ結合機構の一部として形成されて受容部を有し、該受容部が、前記ヘルメットシェルの内面に設けられた前記スナップ結合機構の他方の部分にスナップ結合し、該他方の部分は、複数の棒状突出体からなり、
前記ベアリングピボットがそれぞれの前記ベアリングデバイスに取り付けられ、前記ベアリングピボットが前記保持アームの前記リング状ベアリングブッシュの１つに結合可能であることによって前記バイザーを支持する支持ジョイント機構が形成されたことを特徴とする顔面保護具。
【請求項２】
請求項１に記載の顔面保護具であって、
前記ベアリングデバイスに設けられた弾性指部によって、前記ベアリングデバイスの前記受容部と前記棒状突出体とのスナップ結合が実現されることを特徴とする顔面保護具。
【請求項３】
請求項１又は２に記載の顔面保護具であって、
前記各スナップ結合機構の前記ベアリングピボットが、前記リング状ベアリングブッシュとスナップ結合可能な、回転軸方向に突出した弾性的にフレキシブルなタペットを有していることを特徴とする顔面保護具。
【請求項４】
請求項１〜３のいずれか一項に記載の顔面保護具であって、
前記リング状ベアリングブッシュにその外側から係合し、前記バイザーを前記使用位置または前記待機位置において解除可能にかつ確実に保持するためのロック要素をさらに含むことを特徴とする顔面保護具。
【請求項５】
請求項４に記載の顔面保護具であって、
前記ロック要素が、
ロッド部材と、
前記ロッド部材の一端にて前記リング状ベアリングブッシュの軸線と平行な軸線周りに回転可能に支持されたロール部材と、
前記リング状ベアリングブッシュの軸線に平行な軸線方向において前記各ベアリングデバイスに枢支されて、前記ロッド部材の他端側を該軸線方向に直交する方向に摺動可能に保持するピボットベアリングと、
前記ピボットベアリング及び前記ロール部材の間で前記ロッド部材に軸支された、前記ロッド部材を前記一端側に向けて付勢する圧縮ばねとを含み、
前記リング状ベアリングブッシュの回動に対応して、前記ロッド部材が前記ピボットベアリングを摺動すると共に前記ピボットベアリングを軸に所定の範囲で回動可能であることを特徴とする顔面保護具。
【発明の詳細な説明】
【技術分野】
【０００１】
本発明は、保護ヘルメット、特に森林作業者用の保護ヘルメットに取り付けられる顔面保護具に関する。従来の顔面保護具は、２つの保持アームを有するバイザーと、ヘルメットのヘルメットシェルに取り付けられ、バイザーを２つの位置、すなわちバイザーを下げて顔面を覆って保護する状態の使用位置とバイザーを上げた状態の待機位置との間でバイザーを回動変位させることができる保持アーム用の２つのベアリングデバイスとを含む。
【背景技術】
【０００２】
回動可能な顔面保護具を備えた上述したようなタイプの安全ヘルメットは、特許文献１に開示されている。バイザーの保持アーム用のベアリングデバイスは、ヘルメットシェルの外面に取り付けられる。このような安全ヘルメットでは、使用時に、ヘルメットに衝突した障害物が保持アーム及び／またはバイザーの引っ掛かって、ヘルメットの着用者の作業を妨げたり、ヘルメットを剥ぎ取ってヘルメットの着用者を危険にさらしたりするおそれがあるという欠点がある。特に、バイザーを上向きに回動変位させた、かつバイザーの上側縁部がヘルメットの外面から離間している状態で森林作業を行う場合、木の枝がヘルメットとバイザーとの間に容易に入り込み、それにより、ヘルメットからバイザーが取れたり、ヘルメット着用者の頭部からヘルメットが脱げたりするおそれがある。
【０００３】
このタイプの別の保護ヘルメットが、特許文献２に開示されている。この保護ヘルメットでは、顔面及び／または耳保護具は、一般的な結合要素によってヘルメットの外面に取り付けられる。
【０００４】
顔面保護具などのヘルメットアクセサリが保護ヘルメットの外面に取り付けられることが、特許文献３〜８に開示されている。これらの特許文献に開示されている保護ヘルメットも、バイザーの保持アームが障害物に引っ掛かった場合は、ヘルメットの着用者の作業が妨げられたり、着用者が危険にさらされたりする。
【０００５】
特許文献９に開示されている保護ヘルメットでは、バイザーの取付ブラケットは、ヘルメットシェルの外面の回動可能な横領域の下側で回転軸にヒンジ結合されている。このように構成されたバイザーは、バイザーの取付ブラケットが障害物に引っ掛かる可能性を排除できないので、ここでは選択した。
【０００６】
特許文献１０には、ヘルメットの内側シェルの下側縁部にヒンジ結合されたバイザーを備えた消防士用のヘルメットが示されている。バイザーの収容位置は、内側シェルと外側シェルとの間に位置するように見える。このタイプの顔面保護具は、特別に設計されたヘルメットにのみ使用することができる。
【先行技術文献】
【特許文献】
【０００７】
【特許文献１】DE 35 90 667 C2（ドイツ国特許公報）
【特許文献２】DE 87 14 490 U1（ドイツ国実用新案公報）
【特許文献３】DE 28 26 636 C2（ドイツ国特許公報）
【特許文献４】DE 29 07 056 A1（ドイツ国特許公報）
【特許文献５】DE 33 14 595 C2（ドイツ国特許公報）
【特許文献６】DE 35 90 667 C2（ドイツ国特許公報）
【特許文献７】DE 97 10 596 U1（ドイツ国実用新案公報）
【特許文献８】DE 297 08 134 U1（ドイツ国実用新案公報）
【特許文献９】DE 10 2006 013 25 A1（ドイツ国特許公報）
【特許文献１０】ＰＣＴ国際特許公開第WO 2008/033189 A2号
【発明の概要】
【発明が解決しようとする課題】
【０００８】
本発明は、冒頭に説明した及び最初に述べた文献（特許文献１）から公知のタイプの顔面保護具であって、バイザーの開位置及び閉位置において、バイザー及び／または該バイザーの保持アームが障害物に引っ掛かるおそれがない顔面保護具を提供することにある。
【課題を解決するための手段】
【０００９】
本発明によれば、上記課題は、各ベアリングデバイスをヘルメットシェルの内面に取り付けることができるように構成することにより、並びに、各保持アームが、バイザーから、ベアリングデバイスに結合されるかまたは結合可能にされた当該保持アームの遊端に向けて、バイザーに対して平行をなし、かつ所定の間隔を隔てて延出することにより、待機位置にあるヘルメットシェルが突入するべきスロットを形成し、それにより、待機位置においてバイザーがヘルメットシェルの外面に密接に適合するように構成することにより解決される。本発明の顔面保護具によれば、バイザーは、上向きに回動変位させた状態でも下向きに回動変位させた状態でも、バイザーの上側縁部とヘルメットシェルの外面との間に隙間がほとんど存在しないように、保持アームによりガイドされる。したがって、本発明の顔面保護具は、障害物に引っ掛かるおそれがない。
【００１０】
本発明のある側面は、保護ヘルメットに取り付けられる顔面保護具であって、顔面を覆う本体部、及び該本体部の左右両側部から延出した２つの保持アームを備えたバイザーと、前記バイザーを下向きに回動変位させて顔面を覆って保護する状態の使用位置及び前記バイザーを上向きに回動変位させた状態の待機位置の間で回動変位し得るように前記両保持アームを、前記ヘルメットのヘルメットシェルに枢支する左右２つのベアリングデバイスとを含み、前記各ベアリングデバイスが、前記ヘルメットの前記ヘルメットシェルの内面に取り付けることができるように構成されており、前記各保持アームが、前記バイザーの前記本体部に連結している基端部から、前記ベアリングデバイスに結合されるかまたは結合可能にされた当該保持アームの遊端にかけて、前記バイザーの前記本体部の側辺に対して実質的に平行をなし、かつ該側辺に対して所定の間隔を隔てるように延在することにより、前記待機位置にある前記ヘルメットシェルが突入するべきスロットが前記所定の間隔によって構成され、それにより、前記保持アームの遊端側が前記ヘルメットシェルの内側に配置され、かつ前記待機位置において前記バイザーが前記ヘルメットシェルの外面に密接に適合するようにし、前記各保持アームの遊端が、リング状ベアリングブッシュとして形成されており、前記各ベアリングデバイスが、前記リング状ベアリングブッシュに嵌合して前記各保持アームを回動可能に支持するベアリングピボットを有しており、前記各ベアリングデバイスが、スナップ結合機構の一部として形成されて受容部を有し、該受容部が、前記ヘルメットシェルの内面に設けられた前記スナップ結合機構の他方の部分にスナップ結合し、該他方の部分は、複数の棒状突出体からなり、前記ベアリングピボットがそれぞれの前記ベアリングデバイスに取り付けられ、前記ベアリングピボットが前記保持アームの前記リング状ベアリングブッシュの１つに結合可能であることによって前記バイザーを支持する支持ジョイント機構が形成されたことを特徴とする。本発明の他の側面は、上記構成において、前記ベアリングデバイスに設けられた弾性指部によって、前記ベアリングデバイスの前記受容部と前記棒状突出体とのスナップ結合が実現されることを特徴とする。本発明の他の側面は、上記構成において、前記各スナップ結合機構の前記ベアリングピボットが、前記リング状ベアリングブッシュとスナップ結合可能な、回転軸方向に突出した弾性的にフレキシブルなタペットを有していることを特徴とする。本発明の他の側面は、上記構成において、前記リング状ベアリングブッシュにその外側から係合し、前記バイザーを使用位置または待機位置において解除可能にかつ確実に保持するためのロック要素をさらに含むことを特徴とする。本発明の他の側面は、上記構成において、前記ロック要素が、ロッド部材と、前記ロッド部材の一端にて前記リング状ベアリングブッシュの軸線と平行な軸線周りに回転可能に支持されたロール部材と、前記リング状ベアリングブッシュの軸線に平行な軸線方向において前記各ベアリングデバイスに枢支されて、前記ロッド部材の他端側を該軸線方向に直交する方向に摺動可能に保持するピボットベアリングと、前記ピボットベアリング及び前記ロール部材の間で前記ロッド部材に軸支された、前記ロッド部材を前記一端側に向けて付勢する圧縮ばねとを含み、前記リング状ベアリングブッシュの回動に対応して、前記ロッド部材が前記ピボットベアリングを摺動すると共に前記ピボットベアリングを軸に所定の範囲で回動可能であることを特徴とする。
【００１１】
本発明の顔面保護具の一実施形態では、各保持アームの遊端が、リング状ベアリングブッシュとして形成されており、各ベアリングデバイスが、前記リング状ベアリングブッシュと適合するベアリングピボットを有している。したがって、各保持アーム及び各保持アームに対応するベアリングデバイスにより、ヘルメットの周縁部の内側に安全に配置されたバイザー支持ジョイント機構（バイザー回動支持機構）が構成される。バイザーの待機位置では、バイザーは、ヘルメットシェルと協働して、保持アームを障害物との引っ掛かりから保護する。バイザーの使用位置では、各保持アームはバイザーの後方に位置し、バイザーの側方縁部がヘルメットシェルの外面に密接に隣接する。また、バイザーのフレーム（上側縁部）が、ヘルメットシェルの前側縁部と隣接する。したがって、使用位置においても、バイザー及び／または保持アームは、障害物と引っ掛かる部分を提供しない。
【００１２】
本発明の顔面保護具のさらなる実施形態では、各ベアリングデバイスは、ヘルメットシェルの内面に設けられたスナップ結合機構の他方の部分にスナップ結合可能な、スナップ結合機構の一部として形成される。このことにより、ヘルメットのユーザは、顔面保護具のヘルメットシェルへの着脱を容易に行うことができる。
【００１３】
本発明の顔面保護具のさらなる実施形態では、各スナップ結合機構のベアリングピボットは、リング状ベアリングブッシュとスナップ結合可能な、回転軸方向に突出した弾性的にフレキシブルなタペットを有している。このことにより、顔面保護具のヘルメットシェルの内面への結合を、ヘルメットのユーザによるスナップ結合により行うことができる。
【００１４】
本発明の顔面保護具のさらなる実施形態では、リング状ベアリングブッシュにその外側から係合し、バイザーを使用位置または待機位置において解除可能にかつ確実に保持するためにリング状ベアリングブッシュと共に回動変位することができるばね付勢されたロック要素をさらに含む。このことにより、簡単な方法で、バイザーをヘルメットのユーザが選択した位置でロックすることができる。
【００１５】
本発明の顔面保護具のさらなる実施形態では、前記ばね付勢されたロック要素は、ロッド部材と、前記ロッド部材の一端に回転可能に支持されたロール部材と、前記ロッド部材の他端に結合され、前記ロッド部材を枢支するピボットベアリングと、前記ピボットベアリング及び前記ロール部材の間で前記ロッド部材に軸支された、ばね予負荷を生成するための圧縮ばねとを含む。このことにより、バイザーの選択された位置でのロックを、メンテナンスを必要としない簡単な低摩耗性要素によって達成することができる。コネクタとして形成され、前記ばね予負荷ロック要素を収容しているスナップ結合機構の部分は、必要に応じて新しいコネクタと交換することができる。
【図面の簡単な説明】
【００１６】
以下、本発明の実施形態について、図面を参照して詳細に説明する。
【００１７】
【図１】本発明による顔面保護具を備えた保護ヘルメットの側面図であり、バイザーを上向きに回動させて待機位置に変位させた状態を示す。
【図２】図１の保護ヘルメットを前方から見た断面図である。
【図３】図１の保護ヘルメットを後方から見た破断図である。
【図４】図１の保護ヘルメットを示す図であり、バイザーを下向きに回動させて使用位置に変位させた状態を示す。
【図５】バイザーの保持アームとベアリングデバイスとを互いに連結する支持ジョイント機構を詳細に示す図であり、バイザーを下向きに回動させて使用位置に変位させた状態を示す。
【図６】図５の支持ジョイント機構を詳細に示す分解図であり、ベアリングデバイスをヘルメットの内側から場合の図である。
【図７】図５の支持ジョイント機構の分解図であり、ベアリングデバイスの後側部分とバイザーの保持アームのリング状ベアリングブッシュをヘルメットの外側から内側に向かって見た場合の図である。
【図８】バイザーの保持アームとベアリングデバイスとを互いに連結させる支持ジョイント機構をより詳細に示す図であり、バイザーを上向きに回動させて待機位置に変位させた状態を示す。
【図９】図６のベアリングデバイスをヘルメットシェルの内面にスナップ結合させた状態を示す下方斜視図である（内装構造体は図示してない）。
【発明を実施するための形態】
【００１８】
全体を符号３０で示す、特に森林作業用に設計された保護ヘルメットの一実施形態を、図１の側面図、図２の正面図、図３の背面図、及び図４の側面図に示す。本発明の保護ヘルメット３０は、全体を符号３３で示す顔面保護具を備える。顔面保護具３３はバイザー１３２を含み、バイザー１３２を上向きに回動させて待機位置に変位させた状態を図１に示し、バイザー１３２を下向きに回動させて使用位置に変位させた状態を図４に示す。顔面保護具３３の左右のベアリングデバイスは、ヘルメット３０の左右両側に左右対称に形成されているので、以下の説明において、左右のベアリングデバイス、支持ジョイント機構、保持アーム等の間に差異はない。
【００１９】
顔面保護具３３のバイザー１３２は、保護ヘルメット３０の左右各側に、保持アーム３２と、コネクタとして形成されたベアリングデバイス５０とを含み、コネクタには支持ジョイント機構（回動支持機構）６０の一部が一体的に形成されている。各保持アーム３２に対応するベアリングデバイス５０は、ヘルメットシェル３６の内面に結合される。各ベアリングデバイス５０は、ヘルメットシェル３６の内面に設けられたスナップ結合機構の他方の部分にスナップ結合可能なスナップ結合機構の一部として形成される。スナップ結合機構の前記他方の部分は、図９に示すように、ヘルメットシェル３６の内面と一体的に形成された複数の棒状突出体７４から構成される。棒状突出体７４は図２にも示されている（しかし、図２では、ベアリングデバイス５０は示していない）。ベアリングデバイス５０は棒状突出体７４上に嵌め込まれ、このことにより、バイザー１３２の支持ジョイント機構６０がヘルメットシェル３６の内面の左右の各こめかみ領域に配置されることとなる。図１、図４及び図９に、ベアリングデバイス５０をヘルメットシェル３６の内面に結合させた状態を見ることができる。以下、図５〜９を参照して、支持ジョイント機構６０の構成についてより詳細に説明する。
【００２０】
図５〜８に見ることができるように、保持アーム３２は、バイザー１３２のフレームの後側の一端に一体的に形成されている。保持アーム３２の遊端に、リング状ベアリングブッシュ５２が形成されている。各ベアリングデバイス５０は、ベアリングブッシュ５２に適合するベアリングピボット５４を有する。各ベアリングデバイス５０は、コネクタとして、すなわちヘルメットシェル３６の内面に設けられたスナップ結合機構の他方の部分（図９に示すように棒状突出体７４から構成される）に対してスナップ結合させることができるスナップ結合機構の一部として形成される。図９に見ることができるように、各コネクタには、下向きに突出する棒状突出体７４の遊端を収容可能な収容部が形成されている。弾性指部７３によって、ベアリングデバイス５０とヘルメットシェル３６との間のスナップ結合が実現される。各スナップ結合機構のベアリングピボット５４は、リング状ベアリングブッシュ５２とスナップ結合可能な、軸方向に突出した弾性的にフレキシブルなタペット５４´を有している。図５及び図８は、支持ジョイント機構６０の２つの部分、すなわちリング状ベアリングブッシュ５２及びベアリングピボット５４を組み立てた状態を示している。支持ジョイント機構６０（スナップ結合機構）の分解図は、図６及び図７に見ることができる。保持アーム３２が、バイザー１３２から、ベアリングデバイス５０に結合されるかまたは結合可能にされた当該保持アームの遊端に向けて、バイザー１３２に対して平行をなし、かつ所定の間隔を隔てて延出することにより、前記待機位置（図１参照）にあるヘルメットシェル３６が突入するべきスロット３７を形成し、それにより、前記待機位置においてバイザー１３２がヘルメットシェル３６の外面に密接に適合することができる（図１及び、特に図２及び図３参照）。
【００２１】
ばね付勢されたロック要素７０が、リング状ベアリングブッシュ５２にその外側から係合されており、このロック要素は、バイザー１３２を上向きまたは下向きに回動させたときにリング状ベアリングブッシュ５２と共に回動変位し、バイザー１３２を待機位置または使用位置において解除可能にかつ確実にロックすることができる。ばね付勢されたロック要素７０の２つの位置が図５及び図８に示されており、図５はバイザー１３２を使用位置にロックするときの位置を示し、図８はバイザーを待機位置にロックするときの位置を示す。ばね付勢されたロック要素７０は、ロッド部材７２と、ロッド部材７２の一端に形成された肩部７６と、肩部７６に回転可能に支持されたロール部材と、ロッド部材７２の他端に結合され、ロッド部材７２を回動変位可能に枢支するピボットベアリング７５と、ピボットベアリング７５及び肩部７６の間でロッド部材７２に軸支された、ばね負荷を生成するための圧縮ばね７８とを含む。 
【００２２】
図７を参照して、軸方向に突出する小さなピンがリング状ベアリングブッシュに設けられており、リング状ベアリングブッシュ５２及びベアリングピボット５４を組み立てたときに、図７では図示しないロック要素７０の係合凹部と互いに確実に係合する。このことにより、バイザー１３２を回動させたときに、ロック要素７０が、バイザー１３２（すなわちリング状ベアリングブッシュ）と共に回動変位することができる。
【符号の説明】
【００２３】
３０      保護ヘルメット
３２      保持アーム
３３      顔面保護具
３６      ヘルメットシェル
３７      スロット
５０      ベアリングデバイス
５２      リング状ベアリングブッシュ
５４      ベアリングピボット
５４´    タペット
６０      支持ジョイント機構
７０      ロック要素
７２      ロッド部材
７３      弾性指部
７４      棒状突出体
７５      ピボットベアリング
７６      肩部
７８      圧縮ばね
１３２    バイザー
【図１】
0006041803.tif 000002
【図２】
0006041803.tif 000003
【図３】
0006041803.tif 000004
【図４】
0006041803.tif 000005
【図５】
0006041803.tif 000006
【図６】
0006041803.tif 000007
【図７】
0006041803.tif 000008
【図８】
0006041803.tif 000009
【図９】
0006041803.tif 000010